(57)【要約】【課題】  折丁の開きミスがなく丁合作業が順調に進行するようにする。【解決手段】  折丁９００を、その折目側を下にして搬送する折丁搬送部２００に対し、搬送される折丁９００の片側外面に接して支持、ガイドするガイド板３００を設ける。ガイド板３００の折丁折り合わせ辺上部にエアノズル４００でエアを吹き付けてその反射エアにより折丁９００をその折り合わせ辺から開いて更に開き拡張手段５００によりその外面両面を吸着して開き状態を拡張し、この開き状態を確保しながらその間に中入れ対象物８００を挿入する。【選択図】        図１
2006347046.tif 000002
【特許請求の範囲】
【請求項１】
折丁の間に中入れ対象物を入れ込む丁合装置であって、次の各構成を有することを特徴とする丁合装置。
（イ）折丁をその折目側を下に、反対側の折り合わせ辺を上にして、丁合作業領域を経由し、次工程方向へと搬送する折丁搬送部
（ロ）前記折丁搬送部で搬送される折丁の片側外面に接触してこの折丁を支持しながら、この折丁への中入れ対象物の入れ込み動作が終了するまでガイドするガイド板
（ハ）前記ガイド板でガイド、支持されながら前記折丁搬送路で搬送されてきた折丁に対し、前記ガイド板の、前記折丁の折り合わせ辺上部となる部位にエアを吹き付けて、その反射エアで前記折丁がその折り合わせ辺から開くようにするエアノズル
（ニ）前記エアノズルにより開きはじめた折丁を、その外側の面、両面から吸引して開きの状態を更に拡げる開き拡張手段
（ホ）前記開き拡張手段で開きの状態が拡げられた折丁の間に挿入されて、この折丁の開きの状態を確保する折丁間挿入板
（ヘ）前記折丁間挿入板でその開きの状態が確保されている折丁の間に、前記中入れ対象物を入れ込む中入れ手段
【請求項２】
前記ガイド板は、搬送される折丁の片側外面に接触してこれを支持するように、傾斜した構造を成し、
前記エアノズルは、前記ガイド板に対するエアの吹き付け角度が４５〜８０度である、
請求項１記載の丁合装置。
【請求項３】
前記エアノズルは、エア発生供給源からのエアを伝達する第１エア通路と、この第１エア通路の断面積より小さい断面積のエア吹出し口からエアを放出する第１エア吹出口と、この第１吹出口より大きい断面積を有して前記第１エア吹出口からのエアを伝達する第２エア通路と、この第２エア通路の終端であり、かつ前記ガイド板へのエア吹き付け口となる第２エア吹出口と、を有する構造である、
請求項１又は請求項２記載の丁合装置。
【発明の詳細な説明】
【技術分野】
【０００１】
本発明は丁合装置に関し、特に新聞などの折丁の間に、広告等の中入れ対象物を入れ込む丁合装置に関する。
【背景技術】
【０００２】
折り畳まれた新聞の間に、広告の束などを挿入するための丁合装置が種々開発されつつある。
このような丁合装置の、背景技術における第１の例について、特開平６−６４８２７号公報に記載されている内容を参照しながら説明する。
【０００３】
この第１の例における丁合装置は、従来は人手によって新聞の間に広告の束などを挟み込んでいたものを、自動化、機械化したものであって、主として、新聞などの折丁を開く準備装置部分と、開かれた折丁の間に広告の束を挿入する広告束丁合装置部分とから成っている。
この第１の例では、まず準備装置部分で、その図１０に示すように、垂直に置かれた折丁を開くために、折丁の外側に２個の吸着ドラム（５０）が配置され、これら吸着ドラム間の折丁に対し、その上方直近に設けられたエアジェッター（６０）からエアを折丁の上部に吹き付けて、折丁を形成する２つの紙葉（ｈ）間を膨らませ、その先端縁をより確実に吸着ドラム（５０）で吸着して開いて、広告丁合装置部分で、開いた折丁の間に広告束を落とし込んで丁合する構造となっている（例えば、特許文献１参照）。
【０００４】
また、背景技術における第２の例として、やはり折丁に対してエアを吹き付けるものが示されているが、この第２の例におけるエアの吹き付けは、折丁が静電気で張付いて、開き難くなっているため、その除電のためのエア吹き付けであって、折丁を直接的に開くためのエア吹き付けではない（例えば、特許文献２参照）。
【特許文献１】特開平６−６４８２７号公報（図１０）
【特許文献２】特開平１０−３５１３６号公報
【発明の開示】
【発明が解決しようとする課題】
【０００５】
上述した背景技術においては、第１の例では、垂直に置かれた折丁に対し、その上方直近からエアを吹き付けてこの折丁を開き、かつ、この先端縁部分を吸着ドラムで吸着して開く構成となっているが、新聞等の折丁に対し、その上辺の開放辺部分に、その上方直近から直接エアを吹き付けると、必ずしも、この折丁が、その折り目部分で２分されるように開くとは限らず、開きミスが発生して丁合作業の続行が困難になる、という問題点がある。
また、第２の例では、除電のためのエア吹き付けであって、折丁を直接的に開くためのエア吹き付けではない。
【０００６】
本発明の目的は、上記背景技術における問題点に鑑みて、折丁の開きミスが発生することなく丁合作業を順調に進行させることができる丁合装置を提供することにある。
【課題を解決するための手段】
【０００７】
本発明の丁合装置は、折丁の間に中入れ対象物を入れ込む丁合装置であって、次の各構成を有することを特徴とする。
（イ）折丁をその折目側を下に、反対側の折り合わせ辺を上にして、丁合作業領域を経由し、次工程方向へと搬送する折丁搬送部
（ロ）前記折丁搬送部で搬送される折丁の片側外面に接触してこの折丁を支持しながら、この折丁への中入れ対象物の入れ込み動作が終了するまでガイドするガイド板
（ハ）前記ガイド板でガイド、支持されながら前記折丁搬送路で搬送されてきた折丁に対し、前記ガイド板の、前記折丁の折り合わせ辺上部となる部位にエアを吹き付けて、その反射エアで前記折丁がその折り合わせ辺から開くようにするエアノズル
（ニ）前記エアノズルにより開きはじめた折丁を、その外側の面、両面から吸引して開きの状態を更に拡げる開き拡張手段
（ホ）前記開き拡張手段で開きの状態が拡げられた折丁の間に挿入されて、この折丁の開きの状態を確保する折丁間挿入板
（ヘ）前記折丁間挿入板でその開きの状態が確保されている折丁の間に、前記中入れ対象物を入れ込む中入れ手段
【０００８】
また、前記ガイド板は、搬送される折丁の片側外面に接触してこれを支持するように、傾斜した構造を成し、前記エアノズルは、前記ガイド板に対するエアの吹き付け角度が４５〜８０度である、前記丁合装置である。
【０００９】
更に、前記エアノズルは、エア発生供給源からのエアを伝達する第１エア通路と、この第１エア通路の断面積より小さい断面積のエア吹出し口からエアを放出する第１エア吹出口と、この第１吹出口より大きい断面積を有して前記第１エア吹出口からのエアを伝達する第２エア通路と、この第２エア通路の終端であり、かつ前記ガイド板へのエア吹き付け口となる第２エア吹出口と、を有する構造である、前記丁合装置である。
【発明の効果】
【００１０】
本発明の丁合装置は、折丁を、その折目側を下にして搬送すると同時に、この折丁をガイド板によりその片側外面に支持しながらガイドし、この搬送されてきた折丁に対し、ガイド板の折丁折り合わせ辺上部部位にエアノズルでエアを吹き付けてその反射エアにより折丁をその折り合わせ辺から開き、更に、開き拡張手段により折丁をその外面両面で吸引してその開きを拡張してこの開きの状態を確保してこの間に中入れ対象物を挿入する構成となっているので、折丁を、その折目部分で、確実に２分して開くことができるので、開きミスが発生することなく、丁合作業を順調に進行させることができる、という効果がある。
また、スタッカで揃えるために打たれた針の跡で紙葉間が分離し難い場合でも、これら紙葉間を分離して１枚づつにすることも容易にできる。
【発明を実施するための最良の形態】
【００１１】
本発明を実施するための最良の形態は、折丁の間に中入れ対象物を入れ込む丁合装置であって、次の各構成を有している。
（イ）折丁をその折目側を下に、反対側の折り合わせ辺を上にして、丁合作業領域を経由し、次工程方向へと搬送する折丁搬送部
（ロ）上記折丁搬送部で搬送される折丁の片側外面に接触してこの折丁を支持しながら、この折丁への中入れ対象物の入れ込み動作が終了するまでガイドするガイド板
（ハ）上記ガイド板でガイド、支持されながら上記折丁搬送路で搬送されてきた折丁に対し、上記ガイド板の、上記折丁の折り合わせ辺上部となる部位にエアを吹き付けて、その反射エアで上記折丁がその折り合わせ辺から開くようにするエアノズル
（ニ）上記エアノズルにより開きはじめた折丁を、その外側の面、両面から吸引して開きの状態を更に拡げる開き拡張手段
（ホ）上記開き拡張手段で開きの状態が拡げられた折丁の間に挿入されて、この折丁の開きの状態を確保する折丁間挿入板
（ヘ）上記折丁間挿入板でその開きの状態が確保されている折丁の間に、上記中入れ対象物を入れ込む中入れ手段
【００１２】
また、上記ガイド板は、搬送される折丁の片側外面に接触してこれを支持するように、傾斜した構造を成し、上記エアノズルは、上記ガイド板に対するエアの吹き付け角度が４５〜８０度である構造を成し、
更に、上記エアノズルは、エア発生供給源からのエアを伝達する第１エア通路と、この第１エア通路の断面積より小さい断面積のエア吹出し口からエアを放出する第１エア吹出口と、この第１吹出口より大きい断面積を有して上記第１エア吹出口からのエアを伝達する第２エア通路と、この第２エア通路の終端であり、かつ上記ガイド板へのエア吹き付け口となる第２エア吹出口と、を有する構造である、構成を有している。
【実施例】
【００１３】
次に本発明の実施例について図面を参照して説明する。
図１（ａ）〜（ｃ）は本発明の一実施例を示す装置全体の側面図、並びにそのＡ−Ａ矢視方向及びＢ−Ｂ矢視方向から見た側面図、図２（ａ），（ｂ）はその装置全体の側面図及びそのＣ部の上面図、図３はそのエアノズルの断面図、図４は折丁に対するエアの吹き付け方向を説明するための側面図である。
この実施例における丁合装置は、その主構成が、折丁供給部１００、折丁搬送部２００、ガイド板３００、エアノズル４００、開き拡張手段５００、折丁間挿入板６００、及び中入れ手段７００から成り、これらの詳細は次のとおりである。
【００１４】
まず、折丁供給部１００は、折丁９００を積層して保持収容しておき、その中から折丁９００を１部づつ、その折目を下にして順次、折丁搬送部２００へ供給する。
次に、折丁搬送路２００は、折丁供給部１００から供給された折丁９００を、その折目側を下に反対側の折り合わせ辺を上にして、丁合作業領域を経由し、次工程方向へと搬送する。
次にガイド板３００は、折丁搬送部２００で搬送される折丁９００の片側外面に接触してこの折丁９００を支持しながら、この折丁９００への中入れ対象物８００の入れ込み動作が終了するまでガイドする。従って、このガイド板３００は、折丁９００の片側外面に接触して支持するように、傾斜した構造となっている。
【００１５】
次にエアノズル４００は、ガイド板３００でガイド、支持されながら折丁搬送路２００で搬送されてきた折丁９００に対し、ガイド板３００の、折丁９００折り合わせ辺上部となる部位にエアを吹き付けて、その反射エアで折丁９００がその折り合わせ辺から開くようにする。また、この折丁９００の開き状態が順調に進むように、ガイド板３００へのエアの吹き付け角度αを４５〜８０度に設定する（図４参照）。
更にこのエアノズル４００は、図３に示すように、エア発生供給源からのエアを伝達するホース４１０内の第１エア通路４２０と、この第１エア通路４２０の断面積より小さい断面積のエア吹出し口からエアを放出する第１エア吹出口４３０と、この第１吹出口４３０より大きい断面積を有して第１エア吹出口４３０からのエアを伝達する第２エア通路４４０と、この第２エア通路４４０の終端であり、かつガイド板３００へのエア吹き付け口となる第２エア吹出口４５０と、を有する構造となっている。
【００１６】
次に、開き拡張手段５００は、折丁９００の両外側に配置されたサクションロータ部５１０と吸引ベルト部５２０から成り、エアノズル４００により開きはじめた折丁を、その外側の面、両面から吸引して開きの状態を更に拡げるようにする。
折丁間挿入板６００は、開き拡張手段５００で開きの状態が拡げられた折丁９００の間に挿入されて、この折丁９００の開きの状態を確保する。
そして、中入れ手段７００により、折丁間挿入板６００でその開きの状態が確保されている折丁９００の間に、中入れ対象物８００を入れ込むようになっている。
【００１７】
このような構造、構成により、折丁９００の開きミスが発生するのを防いで、丁合作業を順調に進めることができる。また、スタッカによる針の跡で紙葉間が離れにくくなっていても、これら紙葉を１枚づつに分離することも容易にできる。
【図面の簡単な説明】
【００１８】
【図１】本発明の一実施例を示す装置全体の側面図、並びにそのＡ−Ａ矢視方向及びＢ−Ｂ矢視方向から見た側面図である。
【図２】本発明の一実施例を示す装置全体の側面図、及びそのＣ部の上面図である。
【図３】本発明の一実施例におけるエアノズルの断面図である。
【図４】本発明の一実施例における折丁に対するエアの吹き付け方向を説明するための側面図である。
【符号の説明】
【００１９】
１００  折丁供給部
２００  折丁搬送部
３００  ガイド板
４００  エアノズル
４１０  ホース
４２０  第１エア通路
４３０  第１エア吹出口
４４０  第２エア通路
４５０  第２エア吹出口
５００  開き拡張手段
５１０  サクションロータ部
５２０  吸引ベルト部
６００  折丁間挿入板
７００  中入れ手段
８００  中入れ対象物
９００  折丁
【図１】
2006347046.tif 000003
【図２】
2006347046.tif 000004
【図３】
2006347046.tif 000005
【図４】
2006347046.tif 000006